(57)【要約】【課題】  平常時に貯蔵液体の移動に流動抵抗を生じさせないようにする。【解決手段】  浮屋根式タンクの浮屋根５の下面には、流動抵抗発生板１２の一端縁部を、ヒンジ部材１３を介して回動可能に取り付ける。ヒンジ部材１３は、流動抵抗発生板１２を、常時、浮屋根５の下面に沿う姿勢に付勢する機能を備える。浮屋根５下面のヒンジ部材１３より離れた位置にワイヤ１５を介して垂下させるように取り付けた錘１４に、流動抵抗発生板１２の他端側を、伸縮可能な連結部材１６を介し連結して、スロッシング抑制装置１１を形成する。貯蔵液体６にスロッシングが生じた場合は、浮屋根５が、流動抵抗発生板１２の取付個所が錘１４の取付個所よりも高くなるように傾くときにのみ、錘１４により連結部材１６を介して流動抵抗発生板１２を浮屋根５の下側へ展開させ、貯蔵液体６の流動に対し流動抵抗を生じさせることで、スロッシングを抑制させる。【選択図】図１
2013227039.tif 000002
【特許請求の範囲】
【請求項１】
浮屋根式タンクの浮屋根の下面側に配置した流動抵抗発生板と、
該流動抵抗発生板の一端縁部を上記浮屋根の下面に上下方向に回動可能に且つ常時該浮屋根の下面に沿う姿勢となるように付勢するよう取り付けるヒンジ部材と、
上記浮屋根の下面における上記ヒンジ部材の設置個所より上記流動抵抗発生板とは逆側へ離れた位置に吊下げ部材を介して垂下させるよう取り付けた錘と、
上記流動抵抗発生板の他端側と上記錘との間に配置して、該流動抵抗発生板の他端側と上記錘に各端部を連結した連結部材とからなり、
更に、上記連結部材は、上記浮屋根が水平状態のときに伸長した姿勢となり、且つ該伸長した姿勢より、収縮又は曲がることで両端部間の距離を短縮できるようにしてなる構成
を有することを特徴とするスロッシング抑制装置。
【請求項２】
流動抵抗発生板は、３枚以上として、該３枚以上の流動抵抗発生板を等角度間隔の方位に向けて配置するようにした請求項１記載のスロッシング抑制装置。
【請求項３】
流動抵抗発生板と、該流動抵抗発生板に連結部材を介して連結する錘とを、浮屋根の径方向に並べて配置するようにした請求項１又は２記載のスロッシング抑制装置。
【請求項４】
流動抵抗発生板は浮屋根の外周部に配置し、錘は浮屋根の中央部に配置するようにした請求項１、２又は３記載のスロッシング抑制装置。
【請求項５】
浮屋根の外周部に配置する各流動抵抗発生板を、該浮屋根の中心に吊下げ部材を介して垂下させるよう取り付けた共通の錘に、それぞれ連結部材を介して連結するようにした請求項４記載のスロッシング抑制装置。
【発明の詳細な説明】
【技術分野】
【０００１】
本発明は、浮屋根式タンクの貯蔵液体に生じるスロッシングを抑制するためのスロッシング抑制装置に関するものである。
【背景技術】
【０００２】
気化する虞が比較的低い流体である原油や石油等を貯蔵する貯蔵タンクとしては、貯蔵液体の液面（表面）に浮かべて使用する浮屋根を備えた浮屋根式タンクが多く用いられている。
【０００３】
上記浮屋根式タンクでは、地震発生時に、その地震波が該浮屋根式タンクのスロッシング周期成分を含む場合、タンク内の貯蔵液体にスロッシングが励起される。又、該貯蔵液体は、減衰が小さいために、地震終了後にも長時間にわたりスロッシングが収束しにくい。
【０００４】
このような浮屋根式タンクにおける貯蔵液体のスロッシングは、該貯蔵液体の溢流、浮屋根の損傷や沈没といった地震の二次災害を引き起こす要因になる可能性が懸念される。
【０００５】
そのために、上記浮屋根式タンクでは、地震発生時に貯蔵液体に生じるスロッシングを抑制するための対策が講じられてきている。
【０００６】
上記浮屋根式タンクにおける貯蔵液体のスロッシングを抑制するための装置としては、スロッシングの発生に伴ってタンク内で移動する貯蔵液体の内部に、流動抵抗を生じさせるための部材（流動抵抗発生用部材）を配置させる形式のものが従来提案されている。上記流動抵抗発生用部材としては、板状、複数の棒状、格子状、網状等とすることが提案されている（たとえば、特許文献１、特許文献２、特許文献３参照）。
【０００７】
かかる形式のスロッシング抑制装置によれば、浮屋根式タンクの貯蔵液体にスロッシングが生じた場合は、タンク内での貯蔵液体の移動に対して上記流動抵抗発生用部材により流動抵抗を生じさせることで、該貯蔵液体の減衰を高めてスロッシングを抑制させることができるとされている。
【先行技術文献】
【特許文献】
【０００８】
【特許文献１】特開２００７−２４６１０３号公報
【特許文献２】特開２００５−３１４０００号公報
【特許文献３】特開２００６−８１４８号公報
【発明の概要】
【発明が解決しようとする課題】
【０００９】
ところが、浮屋根式タンクの貯蔵液体のスロッシング抑制装置として、上記特許文献１、２、３に示されたものは、いずれも、流動抵抗発生用部材が、常に浮屋根式タンク内で貯蔵液体中に展開された状態となっている。
【００１０】
そのために、上記特許文献１、２、３に示されたものは、平常時に、浮屋根式タンクの貯蔵液体を吸い出すときにも、タンク内で該貯蔵液体の移動が生じると、その移動に対して上記流動抵抗発生用部材が流動抵抗を生じるようになる。そのために、上記浮屋根式タンクの貯蔵液体を吸い出す作業のためのポンプ動力が嵩むという問題がある。
【００１１】
更に、浮屋根式タンクでは、保守、点検のために上記浮屋根をタンク内底部まで下降させる必要がある。そのようなとき、上記特許文献１、２、３に示されたものでは、上記浮屋根をタンク内底部まで下降させることに伴って、上記流動抵抗発生用部材を、邪魔にならないように折り畳んだり、収縮させたりするための機構を備えていることから、装置構成が複雑になるという問題がある。
【００１２】
そこで、本発明は、平常時には、浮屋根式タンク内での貯蔵液体の移動に対して流動抵抗を生じることがなく、一方、上記貯蔵液体にスロッシングが生じた場合は、該スロッシングを抑制することができ、更に、浮屋根をタンク内底部まで下降させるときに邪魔にならず、しかも簡単な構成とすることができるスロッシング抑制装置を提供しようとするものである。
【課題を解決するための手段】
【００１３】
本発明は、上記課題を解決するために、請求項１に対応して、浮屋根式タンクの浮屋根の下面側に配置した流動抵抗発生板と、該流動抵抗発生板の一端縁部を上記浮屋根の下面に上下方向に回動可能に且つ常時該浮屋根の下面に沿う姿勢となるように付勢するよう取り付けるヒンジ部材と、上記浮屋根の下面における上記ヒンジ部材の設置個所より上記流動抵抗発生板とは逆側へ離れた位置に吊下げ部材を介して垂下させるよう取り付けた錘と、上記流動抵抗発生板の他端側と上記錘との間に配置して、該流動抵抗発生板の他端側と上記錘に各端部を連結した連結部材とからなり、更に、上記連結部材は、上記浮屋根が水平状態のときに伸長した姿勢となり、且つ該伸長した姿勢より、収縮又は曲がることで両端部間の距離を短縮できるようにしてなる構成を有するスロッシング抑制装置とする。
【００１４】
又、上記構成において、流動抵抗発生板は、３枚以上として、該３枚以上の流動抵抗発生板を等角度間隔の方位に向けて配置するようにした構成とする。
【００１５】
更に、上記各構成において、流動抵抗発生板と、該流動抵抗発生板に連結部材を介して連結する錘とを、浮屋根の径方向に並べて配置するようにした構成とする。
【００１６】
上述の各構成において、流動抵抗発生板は浮屋根の外周部に配置し、錘は浮屋根の中央部に配置するようにした構成とする。
【００１７】
更に、上記構成において、浮屋根の外周部に配置する各流動抵抗発生板を、該浮屋根の中心に吊下げ部材を介して垂下させるよう取り付けた共通の錘に、それぞれ連結部材を介して連結するようにした構成とする。
【発明の効果】
【００１８】
本発明のスロッシング抑制装置によれば、請求項１に記載された構成としてあるので、以下のような優れた効果を発揮する。  
（１）浮屋根式タンクの貯蔵液体のスロッシング発生時に、浮屋根にヒンジ部材を介して取り付けた流動抵抗発生板の取付個所の方が、浮屋根への錘の取付個所よりも高くなるように浮屋根が傾斜するときには、浮屋根より常に鉛直に垂下される錘により、連結部材を介して上記流動抵抗発生板が引かれるようにして、該流動抵抗発生板を、上記浮屋根の下側へ突出するように展開させることができる。したがって、この浮屋根の下方へ展開した流動抵抗発生板により、上記スロッシングにより移動する貯蔵液体に対して流動抵抗を生じさせることができるため、該スロッシングしている貯蔵液体の運動エネルギーを減衰させて、該スロッシングを抑制させることができる。  
（２）又、平常時には、流動抵抗発生板を浮屋根の下面に沿う姿勢に保持できるため、浮屋根式タンク内での貯蔵液体の移動に対し流動抵抗が増加することを防止できる。  
（３）更に、浮屋根をタンク内底部まで下降させるときには、流動抵抗発生板は浮屋根の下面に沿う姿勢となっているので、邪魔になる虞がないため、装置構成を簡単なものとすることができる。
【図面の簡単な説明】
【００１９】
【図１】本発明のスロッシング抑制装置の実施の一形態を示すもので、（ａ）は平常時の状態を、（ｂ）は浮屋根式タンク内の浮屋根が、貯蔵液体のスロッシングに伴って一方向に傾斜した状態を、（ｃ）は浮屋根が（ｂ）とは逆方向に傾斜した状態を、それぞれ示す概略側面図である。
【図２】図１のスロッシング抑制装置を装備した浮屋根式タンクの浮屋根を下方から見た図である。
【図３】図１のスロッシング抑制装置を装備した浮屋根式タンクを示す概略切断側面図である。
【図４】本発明の実施の他の形態を示す図２に対応する図である。
【図５】本発明の実施の更に他の形態を示す概略側面図である。
【図６】本発明の実施の更に他の形態を示すもので、（ａ）は平常時の状態を、（ｂ）は浮屋根式タンク内の浮屋根が、貯蔵液体のスロッシングに伴って一方向に傾斜した状態を、（ｃ）は浮屋根が（ｂ）とは逆方向に傾斜した状態を、それぞれ示す概略側面図である。
【発明を実施するための形態】
【００２０】
以下、本発明を実施するための形態を図面を参照して説明する。
【００２１】
図１（ａ）（ｂ）（ｃ）乃至図３は本発明のスロッシング抑制装置の実施の一形態を示すものである。
【００２２】
ここで、先ず、本発明のスロッシング抑制装置を適用する図３に示す浮屋根式タンクの構成について概説する。
【００２３】
図３は、シングルデッキ形式の浮屋根式タンク１の一般的な構成を示すものである。該浮屋根式タンク１は、基礎上に据え付けられた底板３と、該底板３の上側に立設された円筒状の側板４とからなる上部の開放されたタンク本体２を備える。更に、上記タンク本体２の内側には、貯蔵液体６の液面上に浮かべて使用する浮屋根５が、上下方向に移動可能に設けられている。上記浮屋根５は、中央部のデッキ７と、浮力を得るために該デッキ７の外周に設けたポンツーン８とからなる構成としてある。上記浮屋根５の外周には、上記側板４の内周面との隙間を埋めるためのシール機構９が設けられている。更に、上記浮屋根５の外周部の上面側には、雨水の進入を抑えるためのウェザーシールド１０が設けてある。
【００２４】
上記構成としてある浮屋根式タンク１に適用する本発明のスロッシング抑制装置１１は、図１（ａ）（ｂ）（ｃ）及び図２に示すように、浮屋根５の下面側に配置した板状の流動抵抗発生板１２を備える。なお、図示する便宜上、図１（ａ）（ｂ）（ｃ）及び図２では、浮屋根式タンク１にて浮屋根５に設けてあるシール機構９及びウェザーシールド１０、並びに、タンク本体２の側板４の記載は省略してある。
【００２５】
上記流動抵抗発生板１２は、浮屋根５の中心部側の端部となる一端縁部が、上記浮屋根５の下面、すなわち、デッキ７の下面に、ヒンジ部材１３を介して上下方向に回動可能に取り付けられている。上記ヒンジ部材１３は、ばね機構等の図示しない付勢機構により、上記流動抵抗発生板１２を、常時上記浮屋根５の下面に沿う姿勢となるように付勢する機能を備える。
【００２６】
更に、上記本発明のスロッシング抑制装置１１は、上記浮屋根５の下面における上記ヒンジ部材１３の設置個所より上記流動抵抗発生板１２が配置してある側とは逆側へ離れた位置に、錘１４を、上下方向に延びる吊下げ部材としてのワイヤ１５を介して取り付けてある。
【００２７】
上記流動抵抗発生板１２の浮屋根５の外周側となる他端側と上記錘１４の間には、伸縮可能なロッド状の連結部材１６が配置してある。該連結部材１６の両端部は、上記流動抵抗発生板１２の他端側、及び、上記錘１４に、上記ヒンジ部材１３における上記流動抵抗発生板１２の回動軸と平行な軸を中心に上下に回動できるようにそれぞれ連結してある。上記連結部材１６は、図１（ａ）に示すように、上記浮屋根５が水平状態のときに、上記浮屋根５の下面に沿う姿勢となる上記流動抵抗発生板１２の他端側と、上記錘１４との間で最も伸長した姿勢となるように、伸長時の長さ寸法が設定してある。
【００２８】
上記ヒンジ部材１３の上記図示しない付勢機構による付勢力は、上記流動抵抗発生板１２の他端側に上記連結部材１６の重量（自重）が作用した状態では、該流動抵抗発生板１２を上記浮屋根５の下面に沿う姿勢に保持できる一方、上記錘１４の重量が上記流動抵抗発生板１２の他端側に作用するようになると、該流動抵抗発生板１２の下方への回動が開始されるように設定してある。
【００２９】
これにより、上記浮屋根５が、図１（ｂ）に示すように傾斜して、該浮屋根５への上記流動抵抗発生板１２のヒンジ部材１３による取付個所の方が、浮屋根５への錘１４のワイヤ１５による取付個所よりも高くなると、上記ワイヤ１５により常に鉛直に垂下される上記錘１４により、上記伸長姿勢の連結部材１６を介して上記流動抵抗発生板１２の他端側が引かれるようにしてある。よって、この場合は、該流動抵抗発生板１２が、上記ヒンジ部材１３を中心に下方へ回動させられて、その他端側が上記浮屋根５の下側へ突出するように展開されるようにしてある。
【００３０】
本発明のスロッシング抑制装置１１は、具体的には、浮屋根式タンク１に生じるいかなる方位のスロッシングに対しても抑制機能を発揮できるようにするために、３枚以上の流動抵抗発生板１２を、等角度間隔の方位に沿って上下に回動できるように備えている。たとえば、図２では、３枚の流動抵抗発生板１２を、１２０度間隔の３つの方位に沿って上下に回動できるように備えている。
【００３１】
更に、上記各流動抵抗発生板１２と、該各流動抵抗発生板１２に連結部材１６を介して連結する錘１４は、浮屋根５の径方向に並ぶように配置してある。これにより、後述するように浮屋根式タンク１内でスロッシングを生じた貯蔵液体６に対して上記各流動抵抗発生板１２により流動抵抗を生じさせるときに、その反力が浮屋根５に対して捻るように作用することを回避できるようにしてある。
【００３２】
ところで、上記錘１４は、浮屋根５への該錘１４の取付個所に作用する荷重を抑えることができるようにするためには、浮屋根５の傾動時の該錘１４の上下動はできるだけ小さい方が望ましい。そのため、上記錘１４は、できるだけ浮屋根５の中心付近より垂下させることが望まれる。
【００３３】
そこで、図２に示すように、上記３枚の流動抵抗発生板１２は、浮屋根５の外周寄りに配置し、該各流動抵抗発生板１２に対し径方向の内側となる浮屋根５の中央部に、個別に対応する錘１４を配設するようにしてある。
【００３４】
以上の構成としてある本発明のスロッシング抑制装置を装備した浮屋根式タンク１では、貯蔵液体６を貯蔵した状態で、該貯蔵液体６にスロッシングが生じていない平常時には、図１（ａ）に示すように、上記本発明のスロッシング抑制装置１１の各流動抵抗発生板１２が、ヒンジ部材１３により付勢されて、浮屋根５の下面に沿う姿勢に配置される。
【００３５】
したがって、この状態では、上記各流動抵抗発生板１２が、浮屋根式タンク１内での貯蔵液体６の移動に対して流動抵抗を生じることはない。このため、上記浮屋根式タンク１の貯蔵液体６を吸い出す作業のためのポンプ動力を増大させる必要はない。
【００３６】
更に、浮屋根式タンク１にて、保守、点検のために上記浮屋根５をタンク内底部まで下降させるときには、浮屋根５が水平姿勢に保持されていれば、上記各流動抵抗発生板１２は、該浮屋根５の下面に沿う姿勢に保持される。又、上記各錘１４は、浮屋根５の下面よりワイヤ１５により吊り下げてあるため、該錘１４が浮屋根式タンク１の底板３（図３参照）の上面に当接するようになると、その後は、上記ワイヤ１５が撓むことで、浮屋根の更なる下降作業に何ら支障を生じることはない。
【００３７】
したがって、本発明のスロッシング抑制装置１１は、上記のように浮屋根５をタンク内底部まで下降させるときに、上記各流動抵抗発生板１２を改めて畳む操作は必要ないため、本発明のスロッシング抑制装置１１の構成部材を、タンク内底部側に設ける必要はない。よって、本発明のスロッシング抑制装置は、構成が簡単なものとすることができる。
【００３８】
一方、地震発生時に、浮屋根式タンク１の貯蔵液体６にスロッシングが生じた場合は、該貯蔵液体６のスロッシングに伴われて浮屋根５に傾動が生じる。
【００３９】
この際、上記浮屋根５が図１（ｂ）に示すように傾斜すると、本発明のスロッシング抑制装置１１では、浮屋根５よりワイヤ１５を介して常に鉛直に垂下される錘１４により、連結部材１６を介して上記流動抵抗発生板１２の他端側が引かれて、該流動抵抗発生板１２が、上記浮屋根５の下側へ突出するように展開される。したがって、この状態では、上記浮屋根５の下方へ展開した流動抵抗発生板１２が、浮屋根式タンク１内で移動する貯蔵液体６に対して流動抵抗を生じるようになり、この流動抵抗により、上記スロッシングしている貯蔵液体６の運動エネルギー（振動エネルギー）が失われることで、該貯蔵液体６の減衰が増加する。
【００４０】
なお、上記浮屋根５が、図１（ｃ）に示すように、上記図１（ｂ）に示した状態とは逆側に傾斜する場合は、上記錘１４と上記流動抵抗発生板１２の他端側とを連結している連結部材１６の長さが伸長した姿勢よりも収縮して、該連結部材１６の両端部間距離が短縮されるため、上記錘１４がワイヤ１５を介して浮屋根５より鉛直に垂下される状態が維持されるようになる。
【００４１】
したがって、上記浮屋根５が、図１（ｂ）に示す状態と、図１（ｃ）に示す状態で交互に傾動すると、図１（ｂ）の状態のときの貯蔵液体６の運動エネルギーの散逸が断続的に行われるようになるため、上記貯蔵液体６の減衰が促進されてスロッシングが抑制されるようになる。
【００４２】
このように、本発明のスロッシング抑制装置によれば、平常時には、浮屋根式タンク１内での貯蔵液体６の移動に対して流動抵抗を増加させないことと、上記貯蔵液体６にスロッシングが生じた場合は、該スロッシングを抑制することと、浮屋根５をタンク内底部まで下降させるときには邪魔にならないということを、簡単な構成により実現することができる。
【００４３】
次に、図４は本発明の実施の他の形態として、図１（ａ）（ｂ）（ｃ）乃至図３の実施の形態の応用例を示すものである。
【００４４】
すなわち、本実施の形態のスロッシング抑制装置１１は、図１（ａ）（ｂ）（ｃ）乃至図３に示したと同様の構成において、複数の流動抵抗発生板１２に、それぞれ個別の錘１４を連結する構成に代えて、浮屋根５の中心、すなわち、デッキ７の中心にワイヤ１５（図１（ａ）参照）を介して垂下させるように取り付けた共通の錘１４に、浮屋根５の外周部に周方向に配列させた複数の流動抵抗発生板１２の他端側を、連結部材１６を介して連結させる構成としたものである。
【００４５】
その他の構成は図１（ａ）（ｂ）（ｃ）乃至図３に示したものと同様であり、同一のものには同一の符号が付してある。
【００４６】
本実施の形態のスロッシング抑制装置１１は、浮屋根式タンク１の貯蔵液体６にスロッシングが生じるときに、図１（ｂ）に示したと同様に、浮屋根５の傾斜によりヒンジ部材１３による取付個所が上記錘１４の取付個所よりも高い位置に配置されるようになると、流動抵抗発生板１２は、浮屋根５の下側へ突出するように展開させられるようになる。
【００４７】
したがって、本実施の形態のスロッシング抑制装置によっても、図１（ａ）（ｂ）（ｃ）乃至図３の実施の形態と同様の効果を得ることができる。
【００４８】
更に、本実施の形態のスロッシング抑制装置１１は、浮屋根式タンク１内の貯蔵液体６にスロッシングが生じて浮屋根５が傾動する場合であっても、上記錘１４が上下動することを防止することができる。
【００４９】
しかも、本実施の形態のスロッシング抑制装置１１は、錘１４の数が１つであるため、部材点数を削減することができて、構成をより簡単なものとすることができる。
【００５０】
次いで、図５は本発明の実施の更に他の形態として、図１（ａ）（ｂ）（ｃ）乃至図３の実施の形態の別の応用例を示すものである。
【００５１】
すなわち、本実施の形態のスロッシング抑制装置１１は、図１（ａ）（ｂ）（ｃ）乃至図３に示したと同様の構成において、錘１４の吊下げ部材をワイヤ１５とする構成に代えて、浮屋根５の下面、すなわち、デッキ７の下面に、棒状の吊下げ部材１７を介して錘１４を取り付ける構成としたものである。
【００５２】
上記吊下げ部材１７の上端側は、浮屋根５の下面に、ブラケット１８を介して、対応する流動抵抗発生板１２を浮屋根５に取り付けているヒンジ部材１３の回転軸と平行な軸を中心に揺動できるように取り付けてある。なお、上記吊下げ部材１７の上端側は、自在継手を介して上記浮屋根５の下面に取り付けるようにしてもよい。
【００５３】
上記吊下げ部材１７の長さ寸法は、上記浮屋根５の下面から上記錘１４の下端までの距離が、図５に二点鎖線で示すように、浮屋根５を保守点検のためにタンク内底部に下降させるときに、タンク本体２の底板３上に配置して浮屋根５を載置させるための支持台１９の高さ寸法よりも小さくなるように設定してあるものとする。
【００５４】
その他の構成は図１（ａ）（ｂ）（ｃ）乃至図３に示したものと同様であり、同一のものには同一の符号が付してある。
【００５５】
本実施の形態のスロッシング抑制装置１１によっても、図１（ａ）（ｂ）（ｃ）乃至図３の実施の形態のスロッシング抑制装置１１と同様に使用して同様の効果を得ることができる。
【００５６】
更に、本実施の形態のスロッシング抑制装置１１では、浮屋根式タンク１の貯蔵液体６にスロッシングが生じるときに、浮屋根５の傾動に伴って錘１４が上下動する場合であっても、該錘１４の浮屋根５との距離を一定に保持することができて、該錘１４の慣性による余計な上下動を防止することができる。
【００５７】
このため、本実施の形態のスロッシング抑制装置１１は、上記錘１４を、浮屋根５の中心より離れた位置に設置する場合に有利なものとすることができる。
【００５８】
更に、図６（ａ）（ｂ）（ｃ）は本発明の実施の更に他の形態として、図１（ａ）（ｂ）（ｃ）乃至図３の実施の形態の更に別の応用例を示すものである。
【００５９】
すなわち、本実施の形態のスロッシング抑制装置１１は、図１（ａ）（ｂ）（ｃ）乃至図３に示したと同様の構成において、流動抵抗発生板１２の他端部と、錘１４とを連結する連結部材１６を、伸縮可能なロッド状とする構成に代えて、流動抵抗発生板１２の他端部と、錘１４とを、索状の連結部材としての弾性を有するワイヤ２０を介して連結するようにしたものである。
【００６０】
上記ワイヤ２０の伸長した姿勢での長さ寸法は、図１（ａ）（ｂ）（ｃ）乃至図３に示した実施の形態における連結部材１６の伸長時の長さ寸法と同様に設定してあるものとする。
【００６１】
その他の構成は図１（ａ）（ｂ）（ｃ）乃至図３に示したものと同様であり、同一のものには同一の符号が付してある。
【００６２】
本実施の形態のスロッシング抑制装置１１を装備した浮屋根式タンク１（図３参照）では、地震発生時に、貯蔵液体６にスロッシングが生じて、浮屋根５が、図６（ｂ）に示すように、図１（ｂ）で示したと同様に傾斜すると、浮屋根５よりワイヤ１５を介して常に鉛直に垂下される錘１４により、上記ワイヤ２０を介して上記流動抵抗発生板１２の他端側が引かれて、該流動抵抗発生板１２が、上記浮屋根５の下側へ突出するように展開されるようになる。
【００６３】
一方、上記浮屋根５が、図６（ｃ）に示すように、上記図６（ｂ）に示した状態とは逆側に傾斜する場合は、上記錘１４と上記流動抵抗発生板１２の他端側とを連結している上記ワイヤ２０が、伸長した姿勢から曲がる（撓む）ように変形して両端部間距離が短縮されるため、上記錘１４がワイヤ１５を介して浮屋根５より鉛直に垂下される状態が維持されるようになる。
【００６４】
したがって、本実施の形態のスロッシング抑制装置１１によっても、図１（ａ）（ｂ）（ｃ）乃至図３の実施の形態のスロッシング抑制装置１１と同様に使用して同様の効果を得ることができる。
【００６５】
なお、本発明は上記実施の形態のみに限定されるものではなく、浮屋根５に対する流動抵抗発生板１２の設置個所及び設置数は、該浮屋根５のサイズに応じて適宜変更してもよい。
【００６６】
上記各流動抵抗発生板１２は、浮屋根式タンク１内の貯蔵液体６中に展開させるときに流動抵抗が大きくなるようにするという観点、及び、製造の容易性という観点から考えると、図２に示すように、平面形状が、浮屋根５の中心側から外周側に向けて幅が広がる台形とすることが望ましい。しかし、上記各流動抵抗発生板１２は、上記ヒンジ部材１３を介して浮屋根５に取り付ける一端縁部が直線状としてあれば、図２に示した台形以外のいかなる平面形状としてもよい。
【００６７】
更に、上記各流動抵抗発生板１２は、平面形状の面積が大きい場合は、その構造を、メッシュ板、パンチング板、枠体と該枠体の内側に取り付けた網、複数のスリットや開口部を備えた板等、浮屋根式タンク１内の貯蔵液体６の流れを部分的に通過させることができるものとする。このようにすれば、上記各流動抵抗発生板１２が浮屋根式タンク１内の貯蔵液体６中に展開された場合にも、該貯蔵液体６に対する流動抵抗が過大になって、本発明のスロッシング抑制装置１１の各構成部材に過剰な応力が作用する虞を防止することができるようになる。
【００６８】
なお、上記各流動抵抗発生板１２は、上記貯蔵液体６の流れの通過を許容しない単なる板材としてもよい。この場合は、個々の流動抵抗発生板１２に、浮屋根式タンク１内の貯蔵液体６に対する過大な流動抵抗が生じないように、個々の流動抵抗発生板１２の面積を小さくした上で、浮屋根５の周方向に対する設置数を増やすようにすればよい。
【００６９】
上記各流動抵抗発生板１２の幅寸法が大きい場合は、たとえば、図２に示すように、該各流動抵抗発生板１２の他端側における幅方向の複数個所を、複数の連結部材１６を介して対応する錘１４に連結するようにすればよい。なお、各流動抵抗発生板１２と対応する錘１４との連結に用いる上記連結部材１６は、上記各流動抵抗発生板１２の幅寸法に応じて、１本又は３本以上に変更してもよいことは勿論である。
【００７０】
上記流動抵抗発生板１２は、ヒンジ部材１３により浮屋根５に取り付ける一端縁部が、浮屋根５の中心部側に配置され、該流動抵抗発生板１２の他端側が、浮屋根５の外周側に配置されるようにすることが望ましいが、それ以外の向きで浮屋根５に取り付けるようにしてもよい。
【００７１】
図１（ａ）（ｂ）（ｃ）乃至図３の実施の形態、図４の実施の形態、図６（ａ）（ｂ）（ｃ）の実施の形態では、浮屋根５の下面に錘１４を取り付けるための吊下げ部材を、チェーン等のワイヤ１５以外の索状物としてもよい。
【００７２】
図５の実施の形態は、流動抵抗発生板１２と対応する錘１４との連結を、図６（ａ）（ｂ）（ｃ）の実施の形態に示したと同様のワイヤ２０により行う構成としてもよい。
【００７３】
図６（ａ）（ｂ）（ｃ）の実施の形態は、流動抵抗発生板１２の他端側と、対応する錘１４とを、チェーン等のワイヤ２０以外の索状の連結部材、又は、複数のリンクをピンで屈曲可能に連結した形式の連結部材で連結する構成としてもよい。
【００７４】
その他本発明の要旨を逸脱しない範囲内で種々変更を加え得ることは勿論である。
【符号の説明】
【００７５】
１  浮屋根式タンク
５  浮屋根
１１  スロッシング抑制装置
１２  流動抵抗発生板
１３  ヒンジ部材
１４  錘
１５  ワイヤ（吊下げ部材）
１６  連結部材
１７  吊下げ部材
２０  ワイヤ（連結部材）
【図１】
2013227039.tif 000003
【図２】
2013227039.tif 000004
【図３】
2013227039.tif 000005
【図４】
2013227039.tif 000006
【図５】
2013227039.tif 000007
【図６】
2013227039.tif 000008